(57)【要約】【課題】  マスター装置と複数台のスレーブ装置との間でデータ通信を行うに際して、特定のスレーブ装置に対する表示データの送信を効率よく行うことができ、エラー表示などをさせる必要のない情報通信システムを提供すること。【解決手段】  １台のマスター装置と複数のスレーブ装置との間で、予め設定された順序に基づき、データ通信をサイクル的に繰り返し行う情報通信システムであって、マスターが、複数のスレーブのうちの特定の第１スレーブに対して送信すべき表示データを格納する表示データ格納手段と、第１スレーブ以外の第２スレーブに対して停止コマンドを送信する停止コマンド送信手段と、第２スレーブに対して復帰コマンドを送信する復帰コマンド送信手段と、第１スレーブに対する表示データの送信開始に際して、第２スレーブのすべてに対して停止コマンドを送信すると共に、表示データの送信終了に際して、第２スレーブのすべてに対して復帰コマンドを送信させる送信制御手段とを備えている。【選択図】    図２
2006295710.tif 000002
【特許請求の範囲】
【請求項１】
１台のマスター装置と複数のスレーブ装置との間で、予め設定された順序に基づき、データ通信をサイクル的に繰り返し行う情報通信システムであって、
前記マスター装置が、
複数のスレーブ装置のうちの特定の第１スレーブ装置に対して送信すべき個別データを格納する個別データ格納手段と、
前記第１スレーブ装置以外の第２スレーブ装置に対して停止コマンドを送信する停止コマンド送信手段と、
前記第２スレーブ装置に対して復帰コマンドを送信する復帰コマンド送信手段と、
第１スレーブ装置に対する表示データの送信開始に際して、第２スレーブ装置のすべてに対して停止コマンドを送信すると共に、個別データの送信終了に際して、第２スレーブ装置のすべてに対して復帰コマンドを送信させる送信制御手段とを備えていることを特徴とする情報通信システム。
【請求項２】
前記マスター装置と接続されるホストコンピュータが、
個別データを送信すべきスレーブ装置を設定する送信先設定手段と、
送信すべき個別データを設定する個別データ設定手段と、
送信される個別データの分割数を設定する分割数設定手段と、
これら送信先設定手段、個別データ設定手段、分割数設定手段による設定データに基づいて、マスター装置に対して指令を行う通信指令手段とを備えていることを特徴とする請求項１に記載の情報通信システム。
【請求項３】
請求項１又は２に記載の情報通信システムを構成するマスター装置であって、
複数のスレーブ装置のうちの特定の第１スレーブ装置に対して送信すべき個別データを格納する個別データ格納手段と、
前記第１スレーブ装置以外の第２スレーブ装置に対して停止コマンドを送信する停止コマンド送信手段と、
前記第２スレーブ装置に対して復帰コマンドを送信する復帰コマンド送信手段と、
第１スレーブ装置に対する個別データの送信開始に際して、第２スレーブ装置のすべてに対して停止コマンドを送信すると共に、個別データの送信終了に際して、第２スレーブ装置のすべてに対して復帰コマンドを送信させる送信制御手段とを備えていることを特徴とするマスター装置。
【請求項４】
前記送信制御手段は、個別データを送信するに際して、設定された分割数により個別データを分割して送信させることを特徴とする請求項３に記載のマスター装置。
【請求項５】
前記停止コマンド送信手段は、すべての第２スレーブ装置に対して同一の停止コマンドを送信することを特徴とする請求項３又は４に記載のマスター装置。
【請求項６】
スレーブ装置は、前記個別データとしての表示データを受信してＬＥＤによる外部表示を行う情報表示装置であることを特徴とする請求項３〜５のいずれか１項に記載のマスター装置。
【発明の詳細な説明】
【技術分野】
【０００１】
本発明は、１台のマスター装置と複数のスレーブ装置との間で、予め設定された順序に基づき、データ通信をサイクル的に繰り返し行う情報通信システム及びこのシステムを構成するマスター装置に関する。
【背景技術】
【０００２】
かかる情報通信システムでは、１台の通信制御装置（マスター装置）とｎ台の情報表示装置（スレーブ装置）をＲＳ４８５などのシリアル通信線で接続してデータ通信を行う。かかる情報通信システムは、例えば、工場における生産ラインに設置され、マスター装置から特定のスレーブ装置を指定し、表示データ（個別データに相当）を送信する。指定されたスレーブ装置は、受信した表示データに基づいて表示を行う。また、マスター装置は、表示データの送信を行わない場合でも、絶えずスレーブ装置と通信を行っており、各スレーブ装置と平等に通信を行うため、ｎ台のスレーブ装置と、サイクル的に通信を繰り返している。この通信態様を図６に示す。
【０００３】
まず、マスター装置からスレーブ装置１にコマンドｃ１を送信する。スレーブ装置１は、これに応答して応答コマンドｒ１を返信する。次に、マスター装置からスレーブ装置２にコマンドｃ２を送信する。スレーブ装置２はマスター装置に応答コマンドｒ２を返信する。以下同様に、マスター装置はスレーブ装置３〜ｎにコマンドｃ３〜ｃｎを送信し、各スレーブ装置３〜ｎは応答コマンドｒ３〜ｒｎを返信する。マスター装置は、スレーブ装置ｎからの応答コマンドｒｎを受信すると、スレーブ装置１へのコマンド送信から繰り返す。
【０００４】
以上の通信システムにおけるマスター装置の動作フローチャートを図７により説明する。まず、マスター装置は、スレーブ装置１に対してコマンドｃ１を送信する（＃１−１）。マスター装置はスレーブ装置１からの応答コマンドｒ１を受信した場合（＃１−２）、スレーブ装置２にコマンドｃ２を送信する（＃２−１）。スレーブ装置１からの応答コマンドｒ１を受信していない場合は、スレーブ装置１にコマンド送信後、タイムアウト時間を経過したか否かを判断する（＃１−３）。タイムアウト時間内に応答コマンドｒ１を受信できなかった場合は、マスター装置はスレーブ装置１がコマンド受信状態でないことを認識する（＃１−４）。
【０００５】
以下、スレーブ装置２にコマンドｃ２を送信した後は、同様の処理手順をスレーブ装置ｎまで行い、その後再びステップ（＃１−１）に戻り、スレーブ装置１へのコマンド送信から繰り返す。
【０００６】
一方、スレーブ装置における動作フローチャートを図８に示す。まず、マスター装置から自機宛のコマンドを受信したか否かを判断する（＃１０）。受信すればマスター装置に応答コマンドを返信する（＃１４）。自機宛のコマンドを受信していない場合は、マスター装置からのコマンド待ち時間がタイムアウト時間になったか否かを判断し（＃１１）、タイムアウト時間が経過した場合は、マスター装置がコマンド送信可能でないと認識する（＃１２）。この認識後も、マスター装置から自機宛のコマンドを受信したか否かを判断し（＃１３）、コマンドを受信できた場合は、マスター装置に応答コマンドを返信する（＃１４）。
【０００７】
以上のように、マスター装置は複数（ｎ台）のスレーブ装置１〜ｎと、予め設定された順序（この場合、スレーブ装置１→スレーブ装置２→・・・・→スレーブ装置ｎ）でデータ通信をサイクル的に繰り返し行っている。
【０００８】
また、マスター装置とスレーブ装置との間でデータ通信を行うシステムとして、下記特許文献１に開示される通信システムが知られている。特許文献１に係る通信システムは、１つのマスター局と、このマスター局と全二重方式のシリアル伝送ラインで接続される複数のスレーブ局との間で、所定の送信周期で定期送信データの授受を行うものであり、送信周期で特定される送信周期内の定期送信データの授受が行われていない空き時間に、定期送信する必要のない非定期送信データの授受を行うようにしたシステムである。
【０００９】
【特許文献１】特開２００４−２４２０３１号公報
【発明の開示】
【発明が解決しようとする課題】
【００１０】
上記図６〜８で説明したシステムにおいて、マスター装置から特定のスレーブ装置に対して、表示データを送信する場合がある。例えば、ｎ台のスレーブ装置のうち、特定のスレーブ装置（例えば、スレーブ装置１）について表示内容を変更する必要性が生じた場合である。かかる表示データは、各スレーブ装置へ送信するコマンドに乗せて送信するわけであるが、送信すべき表示データの量が大きい場合、表示データを分割して何回かに分けて送信することになる。
【００１１】
スレーブ装置１に表示データを送信することを考えると、スレーブ装置がｎ台ある場合、スレーブ装置１に分割した１回分の表示データを送信した後、残りのｎ−１台のスレーブ装置に順次コマンド送信を行い、夫々のコマンドに対する応答コマンドを受信している。残りのｎ−１台のスレーブ装置に表示データを送信する必要がない場合でも、上記のようにサイクル的にデータ通信を行っているため、スレーブ装置１に対して表示データを送信するのに時間がかかり、スレーブ装置１の表示内容の変更がスムーズに行かないという問題が生じる。
【００１２】
仮に、スレーブ装置１〜ｎへのコマンド送信／応答コマンド受信に各々Ｋ時間必要であるとすると、スレーブ装置１へのコマンド通信はＫ×ｎ時間ごとに１回行われることになる。表示データの分割数がｍであったとすると、全ての表示データをスレーブ装置１に送信し終わるまでに、その所要時間は、ｍ回×Ｋ時間×ｎ台＝ｍｎＫ時間を必要とし、表示データの送信効率が良くなかった。
【００１３】
また、スレーブ装置１のみに対して通信を独占的に行おうとすると、スレーブ装置１以外のスレーブ装置は、コマンドをマスター装置から受信しないため、図８のステップ＃１２のようにマスター装置がコマンド送信可能でないと認識してしまい、エラー表示あるいは他の機器に接続中である旨の表示などをさせてしまうことになる。
【００１４】
また、前述した特許文献１における通信システムにおいては、マスター局からｎ台の各スレーブ局への定期送信データを行わない空き時間を利用して、非定期送信データ（上記表示データに対応する）を送信するものである。しかしながら、非定期送信データを送信する場合でも、常に全てのスレーブ局と定期送信データの授受を行う必要があることから、非定期送信データの量が増大した場合には、データ送信完了まで多大な時間を要することになる。
【００１５】
本発明は上記実情に鑑みてなされたものであり、その課題は、マスター装置と複数台のスレーブ装置との間でデータ通信を行うに際して、特定のスレーブ装置に対する表示データの送信を効率よく行うことができ、エラー表示などをさせる必要のない情報通信システム、及びこのシステムを構成するマスター装置を提供することである。
【課題を解決するための手段】
【００１６】
上記課題を解決するため本発明に係る情報通信システムは、
１台のマスター装置と複数のスレーブ装置との間で、予め設定された順序に基づき、データ通信をサイクル的に繰り返し行う情報通信システムであって、
前記マスター装置が、
複数のスレーブ装置のうちの特定の第１スレーブ装置に対して送信すべき表示データを格納する個別データ格納手段と、
前記第１スレーブ装置以外の第２スレーブ装置に対して停止コマンドを送信する停止コマンド送信手段と、
前記第２スレーブ装置に対して復帰コマンドを送信する復帰コマンド送信手段と、
第１スレーブ装置に対する表示データの送信開始に際して、第２スレーブ装置のすべてに対して停止コマンドを送信すると共に、個別データの送信終了に際して、第２スレーブ装置のすべてに対して復帰コマンドを送信させる送信制御手段とを備えていることを特徴とするものである。
【００１７】
かかる情報通信システムの作用・効果を説明する。このシステムは、１台のマスター装置と複数のスレーブ装置との間で、予め設定された順序に基づき、データ通信をサイクル的に繰り返し行うものであり、マスター装置が次のような機能を有している。
【００１８】
すなわち、複数のスレーブ装置のうちの特定の第１スレーブ装置に対して送信すべき個別データが個別データ格納手段に格納される。個別データを送信しようとする場合は、第１スレーブ装置以外の全ての第２スレーブ装置に対して停止コマンドを送信する。この停止コマンドにより、第２スレーブ装置はマスター装置からのコマンドを受信しなくても正常な状態であると認識することができる。これにより、マスター装置は第１スレーブ装置のみと通信できる状態となり、個別データを短時間で送信可能になる。個別データの送信が終了すると、第２スレーブ装置の全てに対して復帰コマンドを送信する。これにより、第２スレーブ装置は、通常の通信モードに復帰したことを認識することができる。その結果、マスター装置と複数台のスレーブ装置との間でデータ通信を行うに際して、特定のスレーブ装置に対する個別データの送信を効率よく行うことができ、エラー表示などをさせる必要のない情報通信システムを提供することができる。
【００１９】
なお、本発明として、個別データを送信しようとする第１スレーブ装置は１台とは限らず２台以上の複数台であってもよい。その場合、スレーブ装置ごとに個別データの内容が異なっていても良いし、一部あるいは全部が同じ個別データを送信するものであってもよい。
【００２０】
本発明において、前記マスター装置と接続されるホストコンピュータが、
個別データを送信すべきスレーブ装置を設定する送信先設定手段と、
送信すべき個別データを設定する個別データ設定手段と、
送信される個別データの分割数を設定する分割数設定手段と、
これら送信先設定手段、個別データ設定手段、分割数設定手段による設定データに基づいて、マスター装置に対して指令を行う通信指令手段とを備えていることが好ましい。
【００２１】
個別データを送信する場合は、マスター装置と接続されるホストコンピュータで必要事項が設定される。すなわち、個別データを送信すべきスレーブ装置と、送信すべき個別データの内容と、個別データの分割数を設定する。これらの設定されたデータは、通信指令手段により、ホストコンピュータからマスター装置へと送信される。このホストコンピュータにより、マスター装置やスレーブ装置の集中制御を行うことができる。
【００２２】
本発明に係る情報通信システムを構成するマスター装置は、
複数のスレーブ装置のうちの特定の第１スレーブ装置に対して送信すべき個別データを格納する個別データ格納手段と、
前記第１スレーブ装置以外の第２スレーブ装置に対して停止コマンドを送信する停止コマンド送信手段と、
前記第２スレーブ装置に対して復帰コマンドを送信する復帰コマンド送信手段と、
第１スレーブ装置に対する個別データの送信開始に際して、第２スレーブ装置のすべてに対して停止コマンドを送信すると共に、個別データの送信終了に際して、第２スレーブ装置のすべてに対して復帰コマンドを送信させる送信制御手段とを備えていることを特徴とするものである。
【００２３】
更に、前記送信制御手段は、個別データを送信するに際して、設定された分割数により個別データを分割して送信させることが好ましい。
【００２４】
かかる構成によるマスター装置の作用・効果は、既に説明したとおりである。
【００２５】
本発明において、前記停止コマンド送信手段は、すべての第２スレーブ装置に対して同一の停止コマンドを送信することが好ましい。
【００２６】
全ての第２スレーブ装置が認識できる停止コマンドを送信することで、応答コマンドを返信しない構成にすることができ、個別データの送信を終了するまでの時間を更に短縮化することができる。
【００２７】
本発明において、スレーブ装置は、前記個別データとしての表示データを受信してＬＥＤによる外部表示を行う情報表示装置であることが好ましい。
【発明を実施するための最良の形態】
【００２８】
本発明に係る情報通信システムの好適な実施形態を図面を用いて説明する。図１は、システムの概要を示す模式図である。
【００２９】
＜システムの構成＞
マスター装置（親機）としてのリンクターミナル１０が設けられており、ＲＳ４８５等のシリアル通信線により、複数台（例えば３２台）の情報表示装置１１と接続される。情報表示装置１１は、スレーブ装置（子機）に相当する。情報表示装置１１は、マトリクスＬＥＤパネルを備えており、リンクターミナル１０から表示データを受信すると、その表示データに基づいてＬＥＤパネルに表示を行う。情報表示装置１１としては、種々の実施形態が考えられるが、特定の形状・構造に限定されるものではない。リンクターミナル１０は、ホストコンピュータ２０（以下、ホストと省略）と接続されており、ホスト２０から表示データの送信に関する指令信号を受信する。
【００３０】
リンクターミナル１０は、シリアル通信線で接続された全ての情報表示装置１１と、平等に通信することが可能であり、予め設定された順序に基づき、データ通信をサイクル的に繰り返し行うことができる。予め設定された順序とは、例えば、図１に示す情報表示装置１１において、１１（１）→（２）→（３）→・・・→（ｎ）→（１）→（２）・・・であり、情報表示装置１１（１）から（ｎ）までの１サイクル分の通信が終了すると、再び１１（１）に戻ってデータ通信を繰り返す。このような通信順序については、ホスト２０において設定可能であり、適宜設定変更も可能である。
【００３１】
リンクターミナル１０と各情報表示装置１１とは、このように絶えず通信を行うことで、お互いの動作状況を監視したり、必要なデータを送信・受信するようにしている。また、情報表示装置１１では、ＬＥＤで情報を表示するものであるが、表示内容を変更する必要があるときは、リンクターミナル１０から所望の表示データ（個別データに相当）が特定の情報表示装置１１に対して送信される。この表示データの送信は、必要なときに必要な情報表示装置１１に対して行われるものであり、常時行われるものではない。例えば、生産ラインにおいてトラブルが発生した場合は、その旨を表示させるための表示データを送信させる。
【００３２】
＜システムの主要な機能＞
図１に示す情報通信システムの主要な機能を図２のブロック図により説明する。ホスト２０は、例えば、汎用パソコンにより構成することができ、リンクターミナル１０に対する通信指令を行うための通信プログラム２１がインストールされている。なお汎用パソコン以外のコンピュータを用いて、ホストコンピュータとしての機能を果たしてもよい。
【００３３】
通信プログラム２１の主要な機能を順番に説明する。送信先設定手段２１ａは、表示データを送信すべき情報表示装置１１を設定する。設定される情報表示装置１１は、ｎ台のうちの１台もしくは２台以上であり、必要に応じて指定される。表示データ設定手段２１ｂ（個別データ設定手段に相当）は、指定された情報表示装置１１に対して送信すべき表示データを設定する。設定は、例えば、キーボードやマウス等の入力操作部を利用して入力したり、予め用意しておいた表示データ群の中から特定の１つを選択するような方法で行われる。情報表示装置１１が複数指定された場合は、夫々に対して異なる表示データを設定してもよいし、同じ表示データが設定されてもよい。すなわち、状況に応じて表示データの内容を自由に設定できることが好ましい。
【００３４】
分割数設定手段２１ｃは、表示データを送信する場合の表示データの分割数を設定する機能を有する。表示データのデータ量が多くなることもあり、かつ、１回のデータ通信で送信されるデータ量には制限があるため、表示データの量が多くなった場合には、前記制限内容に応じて分割して送信させるようにする。
【００３５】
通信指令手段２１ｄは、送信先設定手段２１ａ、表示データ設定手段２１ｂ、分割数設定手段２１ｃにより設定されたデータに基づいて、リンクターミナル１０に対して指令を行う。
【００３６】
次に、リンクターミナル１０の主要な機能を説明する。記憶回路１２には、各情報表示装置１１へ送信すべきデータと、各情報表示装置１１から受信したデータが記憶される。表示データ格納手段１２ａには、ホスト２０からの指令により送信されてきた表示データが格納される。通信回路１３は、リンクターミナル１０と各情報表示装置１１の間で通信を行うための回路である。停止コマンド送信手段１３ａは、各情報表示装置１１に対して停止コマンドを送信する機能を有する。この停止コマンドを送信後、情報表示装置１１への通信を一時的に停止する。復帰コマンド送信手段１３ｂは、各情報表示装置１１に対して復帰コマンドを送信する機能を有する。この復帰コマンドが送信されると、各情報表示装置１１への通信停止状態を解除することができ、通常の通信状態に復帰させることができる。
【００３７】
制御回路１４は、記憶回路１２と通信回路１３に対する制御を行う電子回路である。送信制御手段１４ａは、前記停止コマンドや復帰コマンドを情報表示装置１１に送信するように通信回路１３に対する制御を行う。また、表示データ送信制御手段１４ｂは、ホスト２０からの指令に基づき、表示データを設定された分割数で送信するように制御を行う。
【００３８】
次に、情報表示装置１１の主要な機能を説明する。記憶回路１５は、リンクターミナル１０から受信したデータと、リンクターミナル１０へ送信すべきデータが記憶される。通信回路１６は、リンクターミナル１０と情報表示装置１１の間で通信を行うための回路である。制御回路１７は記憶回路１５と通信回路１６に対する制御を行う電子回路である。これら記憶回路１５、通信回路１６、制御回路１７の構成については、基本的にリンクターミナル１０と同じとすることができる。
【００３９】
表示制御回路１８は、記憶回路１５に記憶されている表示データに基づいて、ＬＥＤ表示パネル１９に所望の表示をさせる機能を有する。ＬＥＤ表示パネル１９は、マトリクス状に配置されたＬＥＤドットに対する点灯・消灯の制御を行うことで、所望の情報表示をさせることができる。
【００４０】
＜表示データを送信するときの動作＞
次に、図３により表示データを送信する場合の動作を説明する。表示データの送信を行う場合には、最初にホスト２０からリンクターミナル１０に対して、表示データを送信したい情報表示装置１１、送信すべき表示データ、データの分割数に関する指令を与える。以下の説明では、情報表示装置１１（１）に対してのみ表示データを送信する場合について説明する。すなわち、情報表示装置１１（１）は第１スレーブ装置に該当し、残りの情報表示装置１１（２）〜（ｎ）は、第２スレーブ装置に該当する。
【００４１】
まず、リンクターミナル１０から情報表示装置１１（１）にコマンドｃ１を送信した後、情報表示装置１１（２）〜（ｎ）に対して停止コマンドｃ２〜ｃｎを送信する。停止コマンドを受信した各情報表示装置１１（２）〜（ｎ）は、それに対する応答コマンドｒ２〜ｒｎを返信する。これにより、情報表示装置１１（２）〜（ｎ）は、通信停止モードに移行する。通信停止モードでは、リンクターミナル１０からのコマンドを受信しなくても、異常であるとはみなさない。
【００４２】
通信停止モードに移行すると、リンクターミナル１０と指定された情報表示装置１１（１）との間のみで、通信が行われ、コマンドｃ１に表示データが乗せられた状態で、表示データが送信される。表示データの送信は、予め設定された分割数（ｍ）で分割されて行われる。
【００４３】
設定された分割数（ｍ）の通信が終了すると、表示データの送信が完了したことになり、情報表示装置１１（２）〜（ｎ）に対して復帰コマンドを送信する。これにより、通信停止モードが解除され、通常の通信モードに復帰する。
【００４４】
図４は、情報表示装置１１における動作フローチャートを示す図である。情報表示装置１１は、リンクターミナル１０から自機宛のコマンド受信を待つ（＃２０）。コマンドが停止コマンドが否かを判断する（＃２１）。停止コマンドでなければ、リンクターミナル１０に対して応答コマンドを送信する（＃２２）。
【００４５】
停止コマンドの場合は、リンクターミナル１０から自機宛のコマンド受信を待つ（＃２３）。このとき、コマンドは復帰コマンドか否かを判断する（＃２４）。復帰コマンドであった場合は、それに対する応答コマンドをリンクターミナル１０に返信する。このように、停止コマンドを受信すると、その情報表示装置１１は、復帰コマンドを受信するまで通信停止モードになり、復帰コマンドを受信すると、通常の通信モードに復帰する。
【００４６】
なお、表示データを送信すべき情報表示装置１１は１台に限定されるものではなく、ｎ台以下の任意の数を設定することができる。また、図３における通信において、停止コマンドを送信する際に、コマンドには情報表示装置１１を特定するＩＤデータが含まれている。従って、このＩＤデータにより、各情報表示装置１１は自機宛のデータであるか否かを判断することができる。
【００４７】
これに換えて、情報表示装置１１（２）〜（ｎ）の全てが認識できる停止コマンド（同一の停止コマンド）を送信するようにしてもよい。この場合の通信動作を図５により説明する。この場合、同時に情報表示装置１１（２）〜（ｎ）が停止コマンドを受信できる。この場合、同時に応答コマンドを送信することになるので、これを回避するため、情報表示装置１１（２）〜（ｎ）は、応答コマンドをリンクターミナル１０に対して返信しないようにする。
【００４８】
＜効果＞
以上のとおり、表示データの送信を行う場合、表示データを送信しない情報表示装置１１とは通信を行わなくてすむので、表示データの送信を完了するまでの時間を短縮化することができる。また、停止コマンドを予め送信することにより、停止状態の情報表示装置１１に対してコマンドを送信しなくても、異常であるという判断がされることはない。
【００４９】
次に、データをｍ回に分割して情報表示装置１１に送信する場合の、データを送信終了するまでの所要時間を説明する。１台の情報表示装置１１に対する通信時間はＫとする。
【００５０】
停止モードへの移行時間：ｎ台×Ｋ時間＝ｎＫ時間
表示データの転送時間：ｍ回×Ｋ時間＝ｍＫ時間
通常モードへの復帰時間：ｎ台×Ｋ時間＝ｎＫ時間
従って、トータルで２ｎＫ＋ｍＫ  時間となる。図６に示す従来の通信方式では、ｍｎＫ時間を要する。
【００５１】
ここでｍ＝１００、ｎ＝１０とすると、
従来の方式では、１０００Ｋ時間、本発明による方式では、１２０Ｋ時間であり、データ転送に要する時間が１／８に短縮される。この時間短縮の効果は、表示データの量が大きいほど、また、接続される情報表示装置１１の数が多いほど、大きくなる。
【００５２】
＜別実施形態＞
本実施形態では、マスター装置とスレーブ装置の例として、リンクターミナルと情報表示装置の組み合わせをあげて説明したが、これに限定されるものではない。シリアル通信の具体例として、ＲＳ４８５を例示したが、これに限定されるものではなく、他の方式を用いてもよい。また、通信は無線であるか有線であるかは問わないものとする。
【図面の簡単な説明】
【００５３】
【図１】情報通信システムの概要を示す模式図
【図２】情報通信システムの機能を示すブロック図
【図３】表示データを送信する場合の通信動作を示す図
【図４】情報表示装置における動作フローチャート
【図５】表示データを送信する場合の別の通信動作を示す図
【図６】従来技術における通信動作を示す図
【図７】従来技術におけるマスター装置の動作を示すフローチャート
【図８】従来技術におけるスレーブ装置の動作を示すフローチャート
【符号の説明】
【００５４】
１０      リンクターミナル
１１      情報表示装置
１２      記憶回路
１２ａ    表示データ格納手段
１３      通信回路
１３ａ    停止コマンド送信手段
１３ｂ    復帰コマンド送信手段
１４      制御回路
１４ａ    送信制御手段
１４ｂ    表示データ送信制御手段
１５      記憶回路
１６      通信回路
１７      制御回路
１８      表示制御回路
１９      ＬＥＤ表示パネル
２０      ホストコンピュータ
２１      通信プログラム
２１ａ    送信先設定手段
２１ｂ    表示データ設定手段
２１ｃ    分割数設定手段
２１ｄ    通信指令手段
【図１】
2006295710.tif 000003
【図２】
2006295710.tif 000004
【図３】
2006295710.tif 000005
【図４】
2006295710.tif 000006
【図５】
2006295710.tif 000007
【図６】
2006295710.tif 000008
【図７】
2006295710.tif 000009
【図８】
2006295710.tif 000010